(57)【要約】【課題】例えば塗装の際の非塗装領域のマスキングをはじめとする養生、その他の被覆を効率よく行え、かつ被覆漏れが生じにくいようにする。【解決手段】塗装の際に非塗料領域をマスキングのために被覆する場合等、所定の養生を行う被覆シートであって、そのシートの一方又は双方の側縁部に沿ってシート本体部とは視覚上区別される側縁強調表示部、例えば縁を着色する帯状部が形成されている。【選択図】　　図２
2004041932.tif 000002
【特許請求の範囲】
【請求項１】
塗装の際に非塗料領域をマスキングのために被覆する場合等、所定の養生を行う被覆シートであって、そのシートの一方又は双方の側縁部に沿ってシート本体部とは視覚上区別される側縁強調表示部が形成されていることを特徴とする被覆シート。
【請求項２】
所定の対象物を被覆する被覆シートであって、そのシートの一方又は双方の側縁部に沿って、シート本体部とは視覚上区別される側縁強調表示部が形成されていることを特徴とする被覆シート。
【請求項３】
前記側縁強調表示部は、前記シート側縁部に沿って延びる帯状部とされている請求項１又は２に記載の被覆シート。
【請求項４】
前記帯状部は、シート本体部とは異なる色彩又は明度の着色ないし印刷により形成されている請求項３に記載の被覆シート。
【請求項５】
前記被覆シートは、ロール状に巻かれており、そのロールから繰り出して使用するとともに、シート長手方向に延びる一方又は双方の側縁部に沿って前記帯状部が形成されている請求項１ないし４のいずれか１項に記載の被覆シート。
【請求項６】
前記側縁強調部は被覆シートの両側縁部に形成されるとともに、その一方の側縁部の側縁強調部と他方の側縁強調部とが視覚上互いに異なる意匠により構成され、それにより被覆シートの位置・向き・捻れ等の状態が判別可能とされている請求項１ないし５のいずれか１項に記載の被覆シート。
【請求項７】
前記帯状部には、所定の間隔で長さの目安を示す目印が表示されている請求項３ないし５のいずれか１項に記載の被覆シート。
【請求項８】
請求項１ないし６のいずれか１項に記載の被覆シートを用い、
その被覆シートの前記側縁強調表示部又は帯状部を塗装の際の非塗装領域の境界部にあてがい、その側縁強調表示部又は帯状部を粘着テープ等の固定手段により非塗装領域の境界部に貼り付けて非塗装領域に塗料が付着しないように被覆することを特徴とする被覆方法。
【請求項９】
シートの双方の側縁部に沿ってシート本体部とは視覚上区別される側縁強調表示部が形成されている被覆シートを用い、その被覆シートを並列的に配置して広い範囲を被うとともに、各被覆シートの側縁強調部同士を互いに対応させて接合するようにしたことを特徴とする被覆方法。
【請求項１０】
前記各被覆シートの双方の側縁強調表示部は、双方の側縁部に沿って互いに色彩・明度・形態等の意匠が異なる第１及び第２の帯状部として形成され、並列的に配置した各被覆シートにおいて一方の被覆シートの第１又は第２の帯状部に他方の被覆シートの第２又は第１の帯状部を重ね合わせて接合するようにした請求項９に記載の被覆方法。
【発明の詳細な説明】
【０００１】
【発明の属する技術分野】
この発明は、被覆シート及び被覆方法に関し、例えば塗装工事において非塗装領域をマスキングする等、所定の対象物を被覆する技術に関する。
【０００２】
【従来の技術】
従来、建物の壁面を塗装する場合、例えば図９に示すように、その壁面１にガラス戸２（サッシ窓）が存在するとすれば、そこに塗料が付着することを防ぐために、半透明等のごく薄い樹脂製の被覆シート３０でガラス戸２を被い、そのシート３０の縁部を粘着テープ４で固定してマスキングし、その状態で塗装を行っている。
【０００３】
【発明が解決しようとする課題】
しかしながら、図１０に示すように、その被覆シート３０でガラス戸２を被う際、ロールから繰り出した被覆シート３０がねじれたり、絡まったりした場合に、従来のシート３０では、シート側縁部がわからなくなり、そのシート側縁部を捜しながら貼り付けなくてはならないため、被覆作業に時間がかかり、能率が悪い欠点がある。
【０００４】
また、たとえ捻れたりしていない場合でも、シート３０が透明又は半透明で、ガラス戸２上でシートの側縁がわかりにくいことがあり、特に年輩の作業者においては視力の点からいっそうシート側縁が見つけにくい場合がある。そうした状況では、ガラス戸を完全に被覆シートで被ったつもりでも、一部に被いきれていない部分が残ったりする可能があり、そうするとその部分に塗料が付着してしまう結果となり、後のクリーニングが大変である。
【０００５】
この発明は、上記のような問題を解消して、塗装の際の非塗装領域のマスキング等を効率よく行え、かつ被覆漏れが生じにくいようにすることを直接の課題してなされたものである。
【課題を解決するための手段及び発明の効果】
この発明は、例えば、塗装の際に非塗料領域をマスキングのために被覆する等、所定の対象物を被覆する被覆シートであって、そのシートの一方又は双方の側縁部に沿ってシート本体部とは視覚上区別される側縁強調表示部が形成されていることを特徴とする。
【０００６】
これにより、被覆シートが捻れていてもその状態が側縁強調表示部により把握しやすいから、捻れ状態の解消が容易であり、また被覆シートの側縁がどこにあるか簡単に認識でき、被覆漏れ等が生じにくい。
【０００７】
被覆シートの側縁強調表示部は、シート側縁部に沿って延びる帯状部とすることができ、その帯状部は、シート本体部とは異なる色彩又は明度の着色又は印刷により形成することができる。
【０００８】
また被覆シートは、通常、ロール状に巻かれ、そのロールから繰り出して使用するとともに、シート長手方向に延びる一方又は双方の側縁部に沿って帯状部が形成される。
【０００９】
さらに、側縁強調表示部を被覆シートの両側縁部に形成し、その一方の側縁強調表示部と他方の側縁強調表示部とを視覚上互いに異なる意匠により構成し、それにより被覆シートの位置・向き・捻れ等の状態が判別可能となる。
【００１０】
このようにすれば、被覆シートの捻れや重なり等を解消する際に、互いに異なる側縁強調表示部（帯状部等）の延長状態等を参考にシートの状態を把握し、捻れ・重なり等を解消しやすくなる。
【００１１】
また上記帯状部（側縁強調表示部）には、所定の間隔で長さの目安を示す目印を表示することができる。これを利用して被覆シートを切断したり、位置を合わせたりすることができるため、被覆ないしその準備作業を能率良く行うことができる。
【００１２】
上記のような被覆シートを用い、その被覆シートの側縁強調表示部（帯状部等）を、例えば塗装の際の非塗装領域の境界部等、所定の対象物（工事であれば例えば養生すべき領域）にあてがい、その側縁強調表示部又は帯状部を粘着テープ等の固定手段により対象領域の境界部に貼り付けて、例えば非塗装領域に塗料が付着しないように被覆することができる。帯状部等の側縁強調表示部により被覆シートの側縁が明瞭に把握できるから、対象領域の境界まで過不足なく被いやすく、そのため効率的に、かつシートの無駄なく養生等の被覆作業ができる。
【００１３】
また、シートの双方の側縁部に沿ってシート本体部とは視覚上区別される側縁強調表示部が形成されている被覆シートを用い、その被覆シートを並列的に配置して広い範囲を被うとともに、各被覆シートの側縁強調表示部（帯状部等）同士を対応させて接合するようにして、壁、床、屋根等の広い面積を、シートの無駄をなくして経済的に被うことができる。その場合、それらの側縁強調部同士を重ね合わせるて粘着テープで止めたり、それら側縁強調表示部を互いに突き合わせ又は近接させた状態で粘着テープで止める等の手法が採用できる。
【００１４】
また、上記各被覆シートの双方の側縁強調表示部は、双方の側縁部に沿って互いに色彩・明度・形態等の意匠が異なる第１及び第２の帯状部として形成され、並列的に配置した各被覆シートにおいて、一方の被覆シートの第１又は第２の帯状部に、他方の被覆シートの第２又は第１の帯状部を重ね合わせて接合するようにして、広範囲の面積を被うことができる。
【００１５】
これにより被覆シートの第１の帯状部（例えばＡ色）と、この隣の被覆シートの第２の帯状部（例えばＢ色）とを重ね合わせてテープ等で止めれば、隣り合う被覆シートの重なりが最小限となり、シートの無駄がなく経済的な被覆（ないし養生）ができるとともに、同じ帯状部等の側縁強調表示部同士を重ね合わす場合に比べて、互いに異なる帯状部を重ね合わすことで、隣り合うシートの状態が把握しやすく、捻れ等をなくして適正な被覆作業を助けることとなる。言い換えれば、隣り合う被覆シートのどの側縁とどの側縁とを接合すべきかが、上記のようなＡ色の帯状部とＢ色の帯状部を重ねればよい、というように作業者に単純明快にわかることとなる。
【００１６】
【発明の実施の形態】
以下、この発明の実施の形態を図面に示す実施例を参照しつつ説明する。
図１は、この発明の一実施例である被覆シート３を示すものであり、このシート３はロール状に巻かれていて樹脂製のものである。なお、シート３の材質はポリエチレン、ポリポロピレン、ポリアミド、ポリ塩化ビニル、その他任意の可撓性（柔軟性）のあるシート材質であればよく、その厚みは例えば０．０５ｍｍ程度のごく薄いものから、例えば３ｍｍ程度の厚いものまで、適宜に採用できる。
【００１７】
シート３の両側縁部には、側縁強調表示部として、所定幅の帯状部５、６が形成されている。つまり、シート本体部７は例えば透明、半透明又は所定の不透明の着色（白・黒・灰色の無彩色を含め）であるのに対し、帯状部５、６はシート上への所定の着色（印刷）により、視覚上、シート本体部７とは明確に区別されるようになっている。ここで、帯状部５，６を同じ色とすることもできるし、互いに異なる色とすることもできる。その場合、例えば帯状部５を赤色、帯状部６を青色というように色を変えること、または前者を連続帯（実線状）、後者を断続帯（点線状）というように形態（模様ないし外観）を変えることで、互いに異なる側縁強調表示部（帯状部）とすることもできる。これによりシート３の向き、位相も明確になる。また、シート３の幅は例えば１８００、２０００ｍｍといった規格を設定できる。
【００１８】
図２は、家屋の壁面１の塗装の際に、塗料が付着してはならないガラス戸２の領域を非塗装領域に設定して、このガラス戸２の領域を、被覆シート３を用いて養生する（被覆）する工法例を示している。シート３を引き出し、その側縁を示す帯状部５又は６を、ガラス戸２の枠８又はサッシの固定枠９にかかるようにあてがい、その帯状部５又は６を目印にその上から粘着テープ４を貼り、シート３をガラス戸２の領域を被うように固定する。その状態で塗装具１１により壁面１へ塗料を吹き付ければ、この被覆（養生）シート３により、塗料がガラス戸２に付着することが防止される。この例では、ガラス戸２の高さとシート３の幅とがほぼ対応する場合を示しているが、ガラス戸２の方が寸法が大きければ、シート３を上下につながるように貼り合わせることとなり、シート３の幅の方がガラス戸より大きい場合は、シート３をそれに合わせてカットするか、たるみを持たせてガラス戸２の高さに合わせることとなる。
【００１９】
このようなシート３の側縁が帯状部５，６で明示されることにより、図１０に示すようにシート３が捻れたり重なり合ったりしていても、帯状部５，６でその状態を把握し、これをほぐすようにして適正なシート面に展開ないし拡げることができ、またシート側縁がどこにあるかすぐ分かるから、被覆する部分の境界にシート側縁を簡単にあてがうことができる。
【００２０】
なお、帯状部５，６の双方を設けること以外に、その内の一方のみを設けること（帯状部５，６の一方を省略する）ことも可能であり、その場合でも、シートの捻れ把握や側縁把握のために一定の効果を奏する。
【００２１】
図３，４の被覆シート１３は、帯状部５，６に所定の間隔で目印１０を付与・形成したもので、例えば１ｍ間隔で線状、点状あるいは他の意匠的な目印が付随する。これによりシート１３のロールからの繰り出し量が簡単に分かり、またシート１３を切断する際にも、その位置の目安となり便利である。
【００２２】
図５は、壁、床、天井、屋根等の広い範囲を養生（被覆）する方法の一例を示しており、並列的にシート３（１３も同様）を一部重なり合うように貼っていくのであるが、各シート３の帯状部５，６が互いに異なる意匠（例えばＡ色とＢ色）のものとされ、例えばあるシート３の帯状部５に、別のシート３の帯状部６が重なり合うようにして、必要な枚数のシート３を並べて広範囲を養生する。例えばＡ色の帯状部とＢ色の帯状部を重ねるという方式であるから、熟練を要しなくても簡単にシート被覆ができ、かつ帯状部同士の最小限の重なりで、シート量を最小にしつつ経済的な養生が可能となる。
【００２３】
なお、この発明のシート３等は、塗装の養生（非塗装面のマスキング）に限らず、図６に示すような床１５（フローリング）の養生（新品の床を塵埃・人の足跡等から保護して傷や汚れが付かないようにする）にも好適に使用することができる。天井も同様である。また、図７に示すような屋根１６の養生（塗料の付着防止等）、さらにはタイル１７を貼った後の養生（人が踏むことや汚れを防止する）、モルタル１８の施工面の養生（モルタルが固化する期間の立ち入り禁止等）にも好適であって、上記帯状部５，６を利用して迅速かつ経済的に被覆を行い得る。
【００２４】
さらに、建築工事等の養生以外に、図８に示すように、食品のラップ用等、所定の対象物の被覆にも同様に使用可能である。図８では料理を収容した容器１９の開口を、被覆シート（ラップフィルム）２３で被う例を示しており、その両側縁には上述のような帯状部５，６が形成されている。２０はロール状に巻かれたシート２３を回転自在に保持するケースである。この場合、透明ラップ２３の端が明瞭に分かるから、被覆すべき部分をきちんと被っているか否かが容易に認識され、適正に被覆されたことが確認できる。逆に不完全な被覆になってしまった場合は、帯状部５，６が容器１９の開口を横切ることになるから、その不良状態も容易に発見でき、やり直しを促すことに寄与する。
【図面の簡単な説明】
【図１】この発明の被覆シートの一例を示す図。
【図２】そのシートを用いた塗装における被覆方法の一例を示す図。
【図３】帯状部に所定間隔で目印を付けた被覆シートの例を示す図。
【図４】図３を平面的に展開した図。
【図５】広い範囲を養生（被覆）する工法例を示す図。
【図６】床の養生例を示す図。
【図７】屋根、タイル、モルタルの養生例を示す図。
【図８】ラップフィルムに適用した例を示す図。
【図９】従来の塗装の養生例を示す図
【図１０】従来のシートが捻れ、乱れた状態を示す図。
【符号の説明】
１　壁面
２　ガラス戸
３、１３、２３　被覆シート
４　粘着テープ
５、６　帯状部（側縁強調表示部）
７　シート本体部
１０　目印
【図１】
2004041932.tif 000003
【図２】
2004041932.tif 000004
【図３】
2004041932.tif 000005
【図４】
2004041932.tif 000006
【図５】
2004041932.tif 000007
【図６】
2004041932.tif 000008
【図７】
2004041932.tif 000009
【図８】
2004041932.tif 000010
【図９】
2004041932.tif 000011
【図１０】
2004041932.tif 000012